(57)【特許請求の範囲】
【請求項１】
開口部を挟む対向一対の各レールに、幅方向両側の縁部を係合して移動自在とされ、前記開口部を開閉するシャッターカーテンと、
該シャッターカーテン側に設けられ、その先端が前記シャッターカーテンの幅方向の端部から前記レールに向けて突出するように進退自在とされたラッチ部材と、
前記レールに設けられ、前記ラッチ部材の突出した先端が係止される係止部と、
前記シャッターカーテン側に設けられているとともに、前記ラッチ部材に係り、突出状態とされた前記ラッチ部材の先端を前記シャッターカーテンの幅方向の端部から後退させる如く作動する係止解除手段と、
前記シャッターカーテンの幅方向に沿って形成され、少なくとも両端が、シャッターカーテンの両端近傍に達する長さとされ、前記シャッターカーテン側に対して摺動自在に設けられて、その摺動によって前記係止解除手段を作動させて前記ラッチ部材における係止部への係止を解除するスライド部材と、を具備し、
前記ラッチ部材は、シャッターカーテンの幅方向の端部からの突出状態を維持する如く付勢手段によって付勢され、
前記係止解除手段は、前記シャッターカーテン側に設けられた固定支持部と、前記スライド部材側に設けられた移動支持部と、前記ラッチ部材に連結されるとともに前記固定支持部を介して前記移動支持部にかかるように張架された可撓線体と、を備え、
前記スライド部材の摺動で移動支持部が移動されることにより、前記固定支持部を介して前記可撓線体が引張されて、前記ラッチ部材を前記付勢力に抗して後退移動させることを特徴とするシャッター用施錠装置。
【発明の詳細な説明】
【０００１】
【発明の属する技術分野】
本発明は、例えば、住宅の窓部等、建物の開口部に設けられるシャッターの施錠装置に関するものである。
【０００２】
【従来の技術】
住宅の窓部には、サッシの屋外側にシャッターを備えるものがある。このシャッターは、開口部を挟む対向一対のレールと、各レールに、幅方向両側の縁部を係合して移動し、開口部を開閉するシャッターカーテンとを有する。シャッターカーテンの移動方向の先端部には、シャッターカーテンの幅方向に長尺の幅木が連結されている。この幅木には、窓部を閉鎖した状態のシャッターカーテンを施錠するシャッター用施錠装置が設けられる。
【０００３】
施錠装置は、幅木の長手方向の端部からレールに向けて突設するラッチ部材を有する。ラッチ部材は、突出方向に摺動自在となっている。一方、レールの開口部閉鎖側の端部には、ラッチ部材が係止する係止部が設けられている。ラッチ部材は、バネ部材によって、レール側に付勢されている。従って、シャッターカーテンを、窓部の閉鎖位置まで移動させると、バネ部材によって付勢されたラッチ部材の先端がレールの係止部に係合し、シャッターカーテンは閉鎖状態に施錠される。
【０００４】
幅木の長手方向の一部の所定位置には、幅木の長手方向に揺動し得る揺動レバーが枢支されている。この揺動レバーにおける枢軸を間におく両端側には、上述のラッチ部材が連結されている。従って、ラッチ部材は、揺動レバーを揺動することにより、幅木の中央側に引き寄せられることになる。これによって、シャッターカーテンは、係止部に係合したラッチ部材の先端が係止部から離反し、施錠が解除されるようになっている。
【０００５】
【発明が解決しようとする課題】
しかしながら、上述した従来のシャッター用施錠装置においては、揺動レバーを幅木の長手方向の一部の所定位置に設けてある。このため、揺動レバーを操作するには、シャッターカーテンの室内側に位置するサッシを揺動レバーが操作できる位置まで開けなければならず、操作勝手が悪いという問題があった。
【０００６】
また、係止解除手段が揺動レバーであり、その操作がシャッターカーテンを開放する方向とは異なるため、係止解除操作の後に、そのまま揺動レバーを持ってシャッターカーテンを開放することができず、揺動レバーを操作した手を持ち替えてシャッターカーテンを開放しなければならなかった。
【０００７】
そこで本発明は、上記課題を解消するために、シャッターカーテン幅方向の任意の位置で、しかも、手を持ち替えることなく一連の操作で施錠解除、及びシャッターカーテンの開放操作を行うことができるシャッター用施錠装置を提供することを目的とする。
【０００８】
【課題を解決するための手段】
上記目的を達成するため本発明による請求項１に記載のシャッター用施錠装置は、開口部を挟む対向一対の各レールに、幅方向両側の縁部を係合して移動自在とされ、前記開口部を開閉するシャッターカーテンと、
該シャッターカーテン側に設けられ、その先端が前記シャッターカーテンの幅方向の端部から前記レールに向けて突出するように進退自在とされたラッチ部材と、
前記レールに設けられ、前記ラッチ部材の突出した先端が係止される係止部と、
前記シャッターカーテン側に設けられているとともに、前記ラッチ部材に係り、突出状態とされた前記ラッチ部材の先端を前記シャッターカーテンの幅方向の端部から後退させる如く作動する係止解除手段と、
前記シャッターカーテンの幅方向に沿って形成され、少なくとも両端が、シャッターカーテンの両端近傍に達する長さとされ、前記シャッターカーテン側に対して摺動自在に設けられて、その摺動によって前記係止解除手段を作動させて前記ラッチ部材における係止部への係止を解除するスライド部材と、
を具備したことを特徴としている。
【０００９】
このシャッター用施錠装置では、スライド部材が摺動すると、係止解除手段が従動して、ラッチ部材の係止が解除される。
【００１０】
このスライド部材は、シャッターカーテンの幅方向に沿って形成されているため、開口部の幅方向の任意の位置でスライド部材を持って施錠装置の解錠が行えるようになる。また、解錠後、スライド部材を持ったまま、シャッターカーテンを開放方向へ移動できるようになる。
【００１１】
本発明の参考例に係るシャッター用施錠装置は、前記ラッチ部材は、シャッターカーテンの幅方向に摺動することにより進退自在とされ、
前記係止解除手段は、前記シャッターカーテンの幅方向に揺動するように前記シャッターカーテン側に枢支されて、前記ラッチ部材の基端を枢着する揺動レバーを有し、
該揺動レバーは、前記ラッチ部材の突出状態を維持する如く付勢する付勢手段によって所定方向に揺動付勢され、
前記スライド部材は、前記付勢手段の付勢力に抗して前記揺動レバーを揺動操作するように摺動自在とされていることを特徴としている。
【００１２】
この構成では、スライド部材が摺動することで、揺動レバーが揺動される。そして、揺動レバーが揺動することによって、揺動レバーに連結されたラッチ部材がシャッターカーテンの幅方向の中央部に引き寄せられる。
【００１３】
本発明による請求項１に記載のシャッター用施錠装置は、上記の構成において、  前記ラッチ部材は、シャッターカーテンの幅方向の端部からの突出状態を維持する如く付勢手段によって付勢され、前記係止解除手段は、前記シャッターカーテン側に設けられた固定支持部と、前記スライド部材側に設けられた移動支持部と、前記ラッチ部材に連結されるとともに前記固定支持部を介して前記移動支持部にかかるように張架された可撓線体と、を備え、前記スライド部材の摺動で移動支持部が移動されることにより、前記固定支持部を介して前記可撓線体が引張されて、前記ラッチ部材を前記付勢力に抗して後退移動させることを特徴としている。
【００１４】
この構成では、スライド部材が摺動されると、スライド部材に設けた移動支持部が同方向に移動する。これにより、移動支持部に張架された可撓線体が、スライド部材の摺動方向に引っ張られ、ラッチ部材がシャッターカーテンの幅方向の中央部に引き寄せられる。
【００１５】
参考例に係るシャッター用施錠装置は、請求項１の記載において、前記ラッチ部材は、前記シャッターカーテン側に回動自在に枢支されて、その回動先端を前記シャッターカーテンの幅方向の端部から前記レールに向けて突出するように進退自在とされるとともに、前記係止部に係止される回動位置となるように支持され、
前記係止解除手段は、前記ラッチ部材の回動先端の回動方向をシャッターカーテンの開放方向のみに規制する如く摺動自在とされた規制杆を有し、
前記規制杆には、前記シャッターカーテンの幅方向に沿って設けられて、前記スライド部材の摺動動作を前記規制杆の摺動動作として伝達する伝達機構が連結されており、
前記スライド部材の摺動により、前記ラッチ部材に係る規制を解除させる如く前記規制杆を作動させることを特徴としている。
【００１６】
この構成では、スライド部材が摺動されると、規制杆が摺動し、ラッチ部材の回動を自由にして開錠が行われる。また、スライド部材の摺動動作は、シャッターカーテンの幅方向に沿って設けられた伝達機構を介して規制杆に伝達されるので、シャッターカーテンの幅方向の何処の箇所でスライド部材を操作しても規制杆は作動する。
【００１７】
また、上記参考例の記載において、前記規制杆は、前記ラッチ部材の回動を規制する位置となる如く付勢手段によって付勢されていることが好ましく。規制杆等の復帰を確実とする。
【００１８】
【発明の実施の形態】
以下、本発明に係るシャッター用施錠装置の第一実施の形態を図面を参照して詳細に説明する。第一実施の形態は、本願の参考例である。
図１は本発明によるシャッター用施錠装置の第一実施の形態を示す正面図（シャッターの屋内側）、図２は図１におけるＡ−Ａ断面図、図３は第一実施の形態における幅木の側面図、図４は同幅木の端部の正面図、図５は図２におけるＢ−Ｂ矢視図、図６は同幅木の端部の正面側透視図、図７は第一実施の形態における係止解除手段の側面図、図８は図７におけるＣ−Ｃ矢視図である。
【００１９】
図１に示すように、シャッターは、開口部１を挟む対向一対のレール３を有している。一対のレール３には、幅方向両側の縁部を係合し、開口部１を移動するシャッターカーテン５が設けられている。シャッターカーテン５の移動方向の先端部には、シャッターカーテン５の構成部材をなす如く、シャッターカーテン５の幅方向に長尺の幅木７が設けられている。
【００２０】
図３に示すように、幅木７は、水平上部９と水平下部１１とを、垂直壁部１３で連結した略コ字形の基本断面形状に形成されている。水平下部１１の屋外側には、断面Ｌ字状の水切部１５が形成されている。水平上部９の下面には、垂下壁１７が形成されている。水平下部１１の上面には、レール壁１９が突設されている。水平上部９の先端には、断面略Ｃ字状の支持レール部２１が形成されている。さらに、水平上部９の上面には、シャッターカーテン５との連結部２３が突設されている。そして、垂下壁１７とレール壁１９とを以て、屋内側に開放する凹状の収容部２４を形成している。
【００２１】
このような構成の幅木７の両端部は、図４に示すように、少なくとも垂下壁１７とレール壁１９とが除去されている。
また、図５に示すように、幅木７の屋外側の端部には、戸当たり部材２５が、ビス２７により螺着されている。このビス２７は、図６に示すように、垂直壁部１３の屋内側の面でナット２９に螺合している。
【００２２】
幅木７の屋内側の両端部には、樹脂カバー３１がビス３３により取り付けられている。樹脂カバー３１は、垂直壁部１３の屋内側の面、及びナット２９を覆っている。
【００２３】
また、幅木７の収容部２４には、幅木７の長手方向（シャッターカーテン５の幅方向）の両端からレール３に向けて突出する左右一対のラッチ部材３５が設けられている。ラッチ部材３５は、収容部２４内で、突出方向に摺動自在となっている。
【００２４】
図１に示すように、レール３の開口部閉鎖側の端部には、幅木７から突出したラッチ部材３５の先端が係止する係止部（係止穴）３７が設けられている。また、幅木７の中央部には、係止解除手段３９が固設されている。なお、図１中、幅木７より垂下している部材は、幅木紐３８である。
【００２５】
係止解除手段３９は、図７に示すように、基板部４１と、揺動レバー４３とを有している。
【００２６】
揺動レバー４３は、図８に示すように、幅木７の長手方向に直交する方向の回動軸４５によって回動自在となるように、その中央部が基板部４１に枢支されている。この揺動レバー４３の上端は、水平に折り曲げられた折曲部４９をなしている。また、基板部４１の中央部の上縁には、凹状の切欠部４７が形成されており、折曲部４９は、この切欠部４７に挿入されている。
【００２７】
枢軸としての回動軸４５を間に置く揺動レバー４３の両端側には、左右のラッチ部材３５の基端側が枢着されている。また、各ラッチ部材３５の基端側と、基板部４１側との間には、付勢手段としてのバネ部材５１が張架されている。バネ部材５１は、ラッチ部材３５の先端を、幅木７の端部から突出させる方向に付勢している。
【００２８】
従って、揺動レバー４３は、ラッチ部材３５の基端部を介してバネ部材５１によって引っ張られ、図８の時計回り方向に付勢される。時計回りに付勢された揺動レバー４３は、折曲部４９を切欠部４７に当接して、それ以上の回動が規制されている。
【００２９】
図１に示すように、幅木７の略中央部には、垂下壁１７を除去した切欠部５３が形成されている。揺動レバー４３の折曲部４９は、この切欠部５３から屋内側へ突出されている。
【００３０】
図２に示すように、幅木７の屋内側には、幅木７の長手方向に沿うスライド部材５５が設けられている。スライド部材５５は、少なくとも両端が、幅木７の両端にある樹脂カバー３１に覆われる長さとされている。スライド部材５５の下端には、凹溝５７が形成されている。凹溝５７は、幅木７のレール壁１９の先端に係合されている。また、スライド部材５５の上部屋内側には、断面円形状のレール片５９が長手方向に沿って突設されている。このレール片５９は、幅木７の支持レール部２１に係合されている。即ち、スライド部材５５は、凹溝５７とレール片５９を介して、幅木７の長手方向に摺動自在となっている。
【００３１】
このスライド部材５５は、揺動レバー４３の折曲部４９を覆っている。スライド部材５５の中央部は屋内側に段部５６をなし、この段部５６に対してリベット６１等の固定部材を介して係合板６３（図１参照）が固定されている。係合板６３は、揺動レバー４３の折曲部４９に当接されている。つまり、スライド部材５５は、図１の右方向に摺動することにより、係合板６３が折曲部４９を押圧するようになっている。
【００３２】
このように構成したシャッター用施錠装置６５において、スライド部材５５を、図１の右方向に摺動すると、スライド部材５５に設けた係合板６３が、揺動レバー４３の折曲部４９を右方向へ押圧する。これにより、揺動レバー４３は、バネ部材５１の付勢力に抗して、図１の時計回りに回動されることになる。
【００３３】
揺動レバー４３が図１の時計方向へ回動すると、左右の係合板６３は、幅木７の中央部に引き寄せられるように移動し、先端を係止部３７から離脱させて、係止部３７との係止を解除する。これによって、シャッター用施錠装置６５は、解錠されることとなる。
【００３４】
ゆえに、第一実施の形態におけるシャッター用施錠装置６５によれば、幅木７の長手方向に沿ってスライド部材５５を設け、スライド部材５５の摺動によって、揺動レバー４３を揺動させ、ラッチ部材３５の先端と係止部３７との係止を解除するようにしたので、開口部１の幅方向の任意の位置でスライド部材５５を持って施錠装置の解錠が行えるようになる。
【００３５】
また、解錠後、スライド部材５５を持ったまま、シャッターカーテン５を開放方向へ移動させることができる。これにより、解錠操作の後、手を持ち替えることなく、片手による一連の操作で、解錠及びシャッターカーテン５の開放を行うことができる。
【００３６】
なお、係止解除手段３９を作動させるためのスライド部材５５の摺動方向は、幅木７の長手方向である図１における右方向としているが、係止解除手段３９の構成を左右反転して構成すれば、係止解除手段３９を作動させるためのスライド部材５５の摺動方向を、幅木７の長手方向である図１における左方向とすることが可能となる。
【００３７】
また、係止解除手段３９は、幅木７の略中央部に限らず、各ラッチ部材３５の間に置いていれば、上述の動作をなすことができる。
【００３８】
また、ラッチ部材３５は、必ずしも一対でなくてもよく、幅木７の長手方向の少なくとも一方の端部において突出し、その先端がレール３にある係止部３７に係止する構成であればよい。
【００３９】
以下、本発明に係るシャッター用施錠装置の第二実施の形態を説明する。
図９は本発明によるシャッター用施錠装置の第二実施の形態を示す斜視図（シャッターの屋内側）、図１０は第二実施の形態における要部の断面図、図１１は同要部の斜視図である。なお、図１乃至図６に示した部材と同一の部材には同一の符号を付し、重複する説明を省略する。
【００４０】
図９に示すように、シャッターカーテン５の構成部材をなす幅木６７の屋内側には、幅木６７の長手方向（シャッターカーテン５の幅方向）に沿って、板状のスライド部材６９が設けられている。スライド部材６９の屋内側の面には、水平方向に突出した把手レール７１が形成されている。
【００４１】
図１０に示すように、幅木６７の水平上部７３および水平下部７５には、凹状レール７７がそれぞれ形成されている。スライド部材６９の上下縁には、断面Ｔ字状の係止片７９が形成されている。そして、スライド部材６９は、上下の係止片７９を上下各凹状レール７７に係合して幅木６７に取り付けられている。つまり、スライド部材６９は、幅木６７の長手方向に摺動自在となっている。
【００４２】
図１１に示すように、幅木６７の両端には、左右一対のラッチ部材８３がそれぞれ設けられている。ラッチ部材８３は、幅木６７の長手方向に摺動自在となっている。ラッチ部材８３には、摺動方向に長い長穴８５が穿設されている。長穴８５には、幅木６７から突設した摺動規制ピン８７が挿入されている。また、ラッチ部材８３と、幅木６７との間には、付勢手段としてのバネ部材８９が配置されている。このバネ部材８９は、ラッチ部材８３を、幅木６７の端部から突出する方向に付勢している。
【００４３】
各ラッチ部材８３の基端には、可撓線体としてのワイヤ９１が配設されて各ラッチ部材８３を連結している。また、幅木６７の略中央部には、ワイヤ９１が張架される係止解除手段９３が設けられている。
【００４４】
係止解除手段９３は、幅木６７に固定される基板部９５に設けられた一対の固定支持部（以下、固定支持車という）９７と、スライド部材６９に設けられた移動支持部（以下、移動支持車という）９９と、一対の補助支持部（以下、補助支持車という）１００とからなる。各固定支持車９７は、基板部９５を介して幅木６７に固定され、幅木６７の長手方向に沿って並設されている。一方、スライド部材６９に設けられた移動支持車９９は、各固定支持車９７とは並設されず、各固定支持車９７の上方あるいは下方（この実施の形態では上方）に配置されている。
【００４５】
ワイヤ９１は、その中途部分が一対の固定支持車９７にかかるとともに、続いて移動支持車９９に張架されている。また、それぞれの補助支持車１００は、固定支持車９７から移動支持車９９にかかるワイヤ９１を適宜導くように屈曲させている。このように、ワイヤ９１は、固定支持車９７、移動支持車９９および補助支持車１００に亘って張架されている。
【００４６】
そして、スライド部材６９が幅木６７の長手方向である図１１中右方向（矢印ａ方向）に摺動されると、移動支持車９９も同方向に移動される。これにより、移動支持車９９に張架されたワイヤ９１の中途部分は、スライド部材６９の摺動方向に引っ張られる。
【００４７】
このように構成されたシャッター用施錠装置１０１では、幅木６７が連結されたシャッターカーテン５（図１１中不図示）が閉鎖され、ラッチ部材８３が係止部（図１１中不図示）に一致すると、バネ部材８９の付勢力により、ラッチ部材８３の先端が幅木６７の端部から突出する。これにより、ラッチ部材８３が係止部と係合し、シャッターカーテン５が施錠される。
【００４８】
そして、スライド部材６９を幅木６７の長手方向である図９の右方へ摺動すると、移動支持車９９が同方向へ移動する。従って、一対の固定支持車９７の間のワイヤ９１の中途部分は、移動支持車９９の移動方向（図１１中矢印ａ方向）へ引っ張られる。そして、ワイヤー９１の両端部は、一対の固定支持車９７を介して中央へ引き寄せられる。これにより、ワイヤ９１の両端部にある左右のラッチ部材８３は、ワイヤ９１を介して幅木６７の中央に引き寄せられて、係止部との係止が解除されることになる。
【００４９】
ゆえに、第二実施の形態におけるシャッター用施錠装置１０１によれば、上述した第一実施の形態におけるシャッター用施錠装置６５と同様に、シャッターカーテン５の間口方向の任意の位置で施錠を解除することができる。
【００５０】
また、解錠後、スライド部材６９を持ったまま、シャッターカーテン５を開放方向へ移動させることができる。これにより、解錠操作の後、手を持ち替えることなく、片手による一連の操作で、解錠及びシャッターカーテン５の開放を行うことができる。
【００５１】
さらに、ワイヤ９１により左右のラッチ部材８３を連結するので、長尺のラッチ部材を使用せずに装置を構成することができ、施錠装置を軽量にすることができる。
【００５２】
なお、係止解除手段９３は、幅木６７の略中央部に限らず、各ラッチ部材８３の間に配されていれば、上述の動作をなすことができる。
【００５３】
また、係止解除手段９３を作動させるためのスライド部材６９の摺動方向は、幅木６７の長手方向である図９あるいは図１１における右方向としているが、係止解除手段９３の構成を左右反転して構成すれば、係止解除手段９３を作動させるためのスライド部材６９の摺動方向を、幅木６７の長手方向である図９あるいは図１１における左方向とすることが可能となる。
【００５４】
また、ラッチ部材８３は、必ずしも一対でなくてもよく、幅木６７の長手方向の少なくとも一方の端部において突出し、その先端がレール３にある係止部３７に係止する構成であればよい。この場合、ラッチ部材８３に連結しないワイヤ９１の端部は、幅木６７側に固定されている。
【００５５】
また、一対の補助支持車１００は、ワイヤ９１の中途部分が各固定支持車９７を介して移動支持車９９に適宜かかり、そのワイヤ９１がスライド部材６９の摺動による移動支持車９９の移動を以て適宜引張される構成であれば、少なくとも一方、あるいは双方がなくてもよい。
【００５６】
また、固定支持車９７は、一対として説明しているが、この限りでなく、単一で構成されていてもよい。この場合ワイヤ９１は、単一の固定支持車９７を介して補助支持車１００や移動支持車９９にかかるように構成されていればよい。
【００５７】
さらに、固定支持車９７、移動支持車９９および補助支持車１００は、図示の如く滑車として構成されているが、その構成に限定はなく、ワイヤ９１を支持し、且つワイヤ９１による引張を阻害しなければ、例えばピン状に形成されていいてもよい。
【００５８】
次に、本発明に係るシャッター用施錠装置の第三実施の形態を説明する。
図１２は本発明によるシャッター用施錠装置の第三実施の形態の要部を示す断面図、図１３は同要部の斜視図である。なお、図１乃至図１１に示した部材と同一の部材には同一の符号を付し、重複する説明は省略する。
【００５９】
図１２に示すように、シャッターカーテン５の構成部材をなす幅木１１１の水平上部１１３および水平下部１１５には、凹状レール１１７がそれぞれ形成されている。スライド部材１１９の上下縁には、断面Ｔ字状の係止片７９を形成されている。そして、スライド部材１１９は、上下の係止片７９を上下各凹状レール１１７に係合して幅木１１１に取り付けられている。また、凹状レール１１７は、上下方向に余裕をなす間隙１２１を有している。つまり、スライド部材１１９は、図１２の上下方向に摺動自在になっている。
【００６０】
また、幅木１１１の略中央部には、係止解除手段１２３を設けられている。
【００６１】
図１３に示すように、係止解除手段１２３は、基板部９５に設けられた一対の固定支持部（固定支持車）９７と、スライド部材１１９に設けられた移動支持部（移動支持車）９９とからなる。固定支持車９７は、基板部９５を介して幅木１１１に固定され、幅木１１１の長手方向に沿って並設されている。一方、スライド部材１１９に固定された移動支持車９９は、固定支持車９７の間となる位置に配置されている。
【００６２】
ワイヤ９１は、その中途部分が一対の固定支持車９７にかかるとともに、続いて移動支持車９９に張架されている。このように、ワイヤ９１は、固定支持車９７および移動支持車９９に亘って張架されている。
【００６３】
そして、スライド部材１１９がシャッターカーテン５の開閉方向である図１３中上方向（矢印ｂ方向）に摺動されると、移動支持車９９も同方向に移動される。これにより、ワイヤ９１の中途部分は、スライド部材１１９の摺動方向に引っ張られる。
【００６４】
このように構成されたシャッター用施錠装置１２５では、幅木１１１が連結されたシャッターカーテン５（図１３中不図示）が閉鎖され、ラッチ部材８３が係止部（図１３中不図示）に一致すると、バネ部材８９の付勢力により、ラッチ部材８３の先端が幅木１１１の端部から突出する。これにより、ラッチ部材８３が係止部と係合し、シャッターカーテン５が施錠される。
【００６５】
そして、スライド部材１１９をシャッターカーテン５の開閉方向である上方へ摺動すると、移動支持車９９が固定支持車９７の間を上方向へ移動する。従って、一対の固定支持車９７の間のワイヤ９１の中途部分は、一対の固定支持車９７の支持側から反対側へ屈曲して引っ張られる。そして、ワイヤー９１の両端部は、一対の固定支持車９７を介して中央へ引き寄せられる。これにより、ワイヤ９１の両端部にある左右のラッチ部材８３は、ワイヤ９１を介して幅木１１１の中央に引き寄せられて、係止部との係止が解除されることになる。
【００６６】
なお、このシャッター用施錠装置１２５は、係止解除手段１２３を、少なくとも幅木１１１の長手方向両端の二箇所以上に設けることで、スライド部材１１９の両端部、或いは中央部の任意の場所で上方向への摺動が良好に行える。
【００６７】
ゆえに、第三実施の形態におけるシャッター用施錠装置１２５によれば、上述した第一および第二実施の形態におけるシャッター用施錠装置６５、１０１と同様に、シャッターカーテン５の間口方向の任意の位置で施錠を解除することができる。
【００６８】
また、解錠操作方向と、シャッターカーテン５の開放操作方向とを同一方向（この例では上方向）としたので、解錠操作の後、片手による一連の操作で、解錠及びシャッターカーテン５の開放を更にスムーズに行うことができる。
【００６９】
さらに、ワイヤ９１により左右のラッチ部材８３を連結するので、長尺のラッチ部材を使用せずに装置を構成することができ、施錠装置を軽量にすることができる。
【００７０】
なお、係止解除手段１２３を作動させるためのスライド部材１１９の摺動方向は、シャッターカーテン５の開放操作方向である図１３における上方向としているが、係止解除手段１２３の構成を上下反転して構成すれば、係止解除手段１２３を作動させるためのスライド部材１１９の摺動方向を、シャッターカーテン５の閉鎖操作方向である図１３における下方向とすることが可能となる。
【００７１】
また、ラッチ部材８３は、必ずしも一対でなくてもよく、幅木１１１の長手方向の少なくとも一方の端部において突出し、その先端がレール３にある係止部３７に係止する構成であればよい。この場合、ラッチ部材８３に連結しないワイヤ９１の端部は、幅木１１１側に固定されている。
【００７２】
また、固定支持車９７は、一対として説明しているが、この限りでなく、単一で構成されていてもよい。この場合、ワイヤ９１は、単一の固定支持車９７を介して移動支持車９９にかかるように構成されていればよい。
【００７３】
また、固定支持車９７および移動支持車９９は、図示の如く滑車として構成されているが、その構成に限定はなく、ワイヤ９１を支持し、且つワイヤ９１による引張を阻害しなければ、例えばピン状に形成されていてもよい。
【００７４】
以下、本発明に係るシャッター用施錠装置の第四実施の形態を説明する。第四実施の形態は、本願の参考例である。
図１４（ａ）は本発明によるシャッター用施錠装置の第四実施の形態を示す正面外観図（シャッターの屋内側）、図１４（ｂ）は図１４（ａ）における内部機構（施錠装置）を臨む正面図、図１５（ａ）は図１４（ａ）におけるＤ−Ｄ断面図、図１５（ｂ）は図１５（ａ）における動作図、図１６（ａ）〜（ｃ）は動作を示す要部拡大図である。なお、図１乃至図１３に示した部材と同一の部材には同一の符号を付し、重複する説明を省略する。
【００７５】
図１５に示すように、シャッターカーテン５の構成部材をなす幅木１３１は、の水平上部１３３と水平下部１３５とを、垂直壁部１３７で連結した略コ字形の基本断面形状に形成されている。水平上部１３３の下面には、平行して垂下する一対の垂下壁１３９，１３９が形成され、これら各垂下壁１３９と水平上部１３３とで、下向きに開放する収納レール部１４１をなしている。
【００７６】
このような構成の幅木１３１の長手方向（シャッターカーテン５の幅方向）の両端部であって、水平上部１３３と水平下部１３５と垂直壁部１３７とで囲まれた収容部２４には、図１４（ｂ）に示すように、幅木１３１の長手方向の両端からレール３に向けて突出する左右一対のラッチ部材１４３が設けられている。ラッチ部材１４３は、収容部２４内で回動自在に枢支され、その回動によって幅木１３１の端部からくちばし形状の回動先端１４３ａを進退するように構成されている。
【００７７】
また、幅木１３１の両端部近傍には、ラッチ部材１４３と近接して係止解除手段１４５が設けられている。係止解除手段１４５は、図１４（ｂ）に示すように、幅木１３１の収容部２４に固設された基板部１４７を介して幅木１３１側に配設される規制杆１４９を有している。なお、上述のラッチ部材１４３は、規制杆１４９と共に基板部１４７に枢支されている。
【００７８】
規制杆１４９は、棒板状に形成され、基板部１４７に対して幅木１３１の長手方向に摺動自在に配されている。この規制杆１４９の一端部１４９ａは、ラッチ部材１４３に係るように延出され、ラッチ部材１４３の回動を規制している。
【００７９】
具体的には、ラッチ部材１４３の回動先端１４３ａと略回動対称位置に、当接片１５１が突設されていて、この当接片１５１と規制杆１４９の一端部１４９ａが当接することにより、ラッチ部材１４３の回動先端１４３ａが上方への回動のみに規制される。この際、ラッチ部材１４３のくちばし形状の回動先端１４３ａの上面が略水平とされる。また、規制杆１４９が幅木１３１の長手方向の中央寄りに摺動すると、規制杆１４９の一端部１４９ａとラッチ部材１４３の当接片１５１との関わりがなくなり、ラッチ部材１４３の回動が自由となる。（図１６（ｃ）参照）
【００８０】
なお、ラッチ部材１４３には、フック部１４３ｂが延出形成されている。このフック部１４３ｂは、基板部１４７側に対してバネ部材１４４を介して支持された移動フック部１４６に係るように構成されている。そして、上述の如く規制杆１４９が摺動してラッチ部材１４３の回動が自由となり、回動先端１４３ａが下方へ回動した際、フック部１４３ｂと移動フック部１４６が係合する。これによりラッチ部材１４３は、バネ部材１４４の弾性力によって、規制杆１４９に規制されていた位置に復帰される。（図１６（ｃ）参照）
【００８１】
また、図１４（ａ）、図１５（ａ）に示すように、幅木１３１の屋内側には、幅木１３１の長手方向に沿うスライド部材１５３が設けられている。スライド部材１５３は、板状の折曲によって、断面略ロ字状の手掛け部１５３ａと、幅木１３１の垂直壁部１３７に平行となる作動部１５３ｂとを有している。そして、手掛け部１５３ａを幅木１３１における収納レール部１４１に収納し、作動部１５３ｂを以て幅木１３１の屋内側開放部分を覆う如く配され、上下方向（シャッターカーテン５の開閉方向）に移動自在とされている。
【００８２】
さらに、スライド部材１５３は、規制杆１４９と連結されている。
図１４（ｂ）に示すように、スライド部材１５３の作動部１５３ｂには、支持ピン１５５が取り付けられている。この支持ピン１５５は、基板部１４７に設けられた上下方向（スライド部材１５３の移動方向）に長手のスリット穴１５７に支持されている。さらに、支持ピン１５５には、アーム部材１５９の一端が枢支されている。一方、規制杆１４９には、アーム部材１５９の他端が枢支されている。
【００８３】
すなわち、スライド部材１５３を上方に移動させることにより、支持ピン１５５がスリット穴１５７に沿って上方に移動し、これに伴い、アーム部材１５９を介して規制杆１４９が幅木１３１の長手方向の中央寄りに摺動する。このように、スライド部材１５３と規制杆１４９とは、リンク機構を介して連結されている。
【００８４】
このように構成したシャッター用施錠装置１６１において、シャッターカーテン５を閉鎖した場合、幅木１３１はレール３に沿って下降する。そして、図１６（ａ）に示すように、レール３にある係止部３７にラッチ部材１４３の回動先端１４３ａの下面が当接することによって、ラッチ部材１４３が回動して幅木１３１側に後退し、係止部３７を乗り越える。
【００８５】
その後、ラッチ部材１４３は、図１６（ｂ）に示すように、自重によって規制杆１４９に規制される位置に復帰する。このような状態では、ラッチ部材１４３の回動先端１４３ａが係止部３７の下側に入り、シャッターカーテン５が上方に移動できなくなって、シャッターが施錠される。
【００８６】
続いて、図１５（ｂ）に示すように、スライド部材１５３を、上方に摺動すると、上述したように、規制杆１４９が幅木１３１の長手方向の中央寄りに移動し、ラッチ部材１４３の回動が自由となる。そして、図１６（ｃ）に示すように、幅木１３１の上昇に伴い、ラッチ部材１４３が係止部３７を乗り越え、シャッターカーテン５を開放が可能となる（施錠装置１６１の開錠が完了する。）
この際、ラッチ部材１４３は、バネ部材１４４の弾性力によって規制杆１４９に規制される位置に復帰する。また、スライド部材１５３は自重で降下し、規制杆１４９を元の位置に摺動させる。
【００８７】
ところで、幅木１３１の長手方向の両端部に構成された施錠装置１６１は、互いに伝達機構１７１を介して連動するように構成されている。
伝達機構１７１は、図１４（ｂ）に示すように、幅木１３１の長手方向の略中央部分に配設されている。この伝達機構１７１は、中央部が幅木１３１側に枢支された回動レバー１７３を有している。回動レバー１７３の両端部には、それぞれ補助ロッド１７５，１７５が枢着されている。これら補助ロッド１７５は、回動レバー１７３を介し、互いに離れる方向に付勢手段としてのバネ部材１７７によって付勢されている。そして、各補助ロッド１７５と、施錠装置１６１の規制杆１４９とは、連結ロッド１７９を介して連結されている。
【００８８】
このような構成では、幅木１３１の長手方向の各端部近傍にある一方の規制杆１４９がスライド部材１５３の摺動によって作動すると、連動して他方の規制杆１４９も作動されることとなる。また、スライド部材１５３の作動を止めた際には、伝達機構１７１のバネ部材１７７の付勢力を介して規制杆１４９を元の規制位置に戻す。
【００８９】
ゆえに、第四実施の形態におけるシャッター用施錠装置１６１によれば、幅木１３１の長手方向に沿ってシャッターカーテン５の開放方向に摺動するスライド部材１５３を設け、このスライド部材１５３の摺動によって、幅木１３１の長手方向の両端部にある回動自在なラッチ部材１４３を共に自由にして、係止部３７との係止を解除するようにしたので、開口部１の幅方向の任意の位置でスライド部材５５を持って施錠装置の解錠が行えるようになる。
【００９０】
また、解錠操作方向と、シャッターカーテン５の開放操作方向とを同一方向（この例では上方向）としたので、解錠操作の後、片手による一連の操作で、解錠及びシャッターカーテン５の開放を更にスムーズに行うことができる。
【００９１】
なお、係止解除手段１６１を作動させるためのスライド部材１５３の摺動方向は、シャッターカーテン５の開放操作方向である図１４（ａ）における上方向としているが、係止解除手段１６１の構成を上下反転して構成すれば、係止解除手段１４５を作動させるためのスライド部材１５３の摺動方向を、シャッターカーテン５の閉鎖操作方向である図１４（ａ）における下方向とすることが可能となる。
【００９２】
また、係止解除手段１６１およびスライド部材１５３の構成に関し、規制杆１４９の長さを長く構成し、スライド部材１５３とのリンク結合を幅木１３１の中央部寄りに寄せることにより、スライド部材１５３の長さを幅木１３１の中央寄りに短尺に構成することができる。
この場合、例えばシャッターの屋内側に左右引き違いの窓障子がある構成で、左右何れかの障子を開けても、どちらからもスライド部材１５３の操作ができる長さとなるように構成されていることが好ましい。
このように、シャッターカーテン５の幅方向の何れからの操作が可能であり、且つ手操作を行うスライド部材１５３の長さをシャッターカーテン５の幅方向に対して短尺とすることで、コストを低減することが可能となる。
【００９３】
また、ラッチ部材１４３は、必ずしも一対でなくてもよく、幅木１３１の長手方向の少なくとも一方の端部において突出し、その先端がレール３にある係止部３７に係止する構成であればよい。この場合、幅木１３１の長手方向の範囲において何れの箇所でも施錠操作を行えるようにするために、他方の端部近傍では、規制杆１４９、および規制杆１４９とスライド部材１５３とを連結するリンク機構を配しておき、他方の端部側でのスライド部材１５３の摺動動作を、伝達機構１７１を介して一方の端部にある規制杆１４９の摺動動作として伝えるように構成される。
【００９４】
なお、上述の全ての実施の形態では、シャッター用施錠装置（６５、１０１、１２５、１６１）が、シャッターカーテン５の移動方向の先端部にある幅木（７、６７、１１１、１３１）に配した例を説明したが、この限りでなく、例えば、上述した施錠装置（６５、１０１、１２５、１６１）をシャッターカーテン５の中途部分を構成する構成部材に配してもよい。
この場合、シャッターカーテン５の移動方向の先端方向寄りの中途部分、例えば巻取式収納シャッターでは、シャッターカーテン５を巻き取った際の巻き取り径が大きくならない部分（外周部分）等の収納上支障をきたさない位置がより好ましい。
【００９５】
また、上述の全ての実施の形態において、シャッターカーテン５は、例えば上記幅木（７、６７、１１１、１３１）を含み、短冊板状あるいはパネル状のスラット材が複数連結されたもの、または、単一のパネル材等で構成されていてもよく、本実施の形態における施錠装置（６５、１０１、１２５、１６１）は、前記シャッターカーテン５の構成部材である幅木（７、６７、１１１、１３１）、スラット材あるいはパネル材等に設けられていればよい。
【００９６】
また、上述した全ての実施の形態において、スライド部材（５５、６９、１１９、１５３）は、係止解除手段（３９、９３、１２３、１４５）およびラッチ部材（３５、８３、、１４３）が配されたと同じ構成部材（幅木）に配されていると説明したが、この限りでなく、例えば、スライド部材（５５、６９、１１９、１５３）による動作を係止解除手段（３９、９３、１２３、１４５）に対してワイヤや連結板等によって遠隔で伝達するようにすれば、スライド部材（５５、６９、１１９、１５３）を別の構成部材に配することができる。
【００９７】
また、上述した全てのシャッター用施錠装置（６５、１０１、１２５、１６１）は、シャッターカーテン５に対して複数の構成部材に設けてもよい。
【００９８】
また、上述の全ての実施の形態では、シャッター用施錠装置（６５、１０１、１２５、１６１）を備えたシャッターを上下方向に開閉する構成として説明したが、左右方向、水平方向、傾斜方向に開閉する構成であってもよい。
【００９９】
また、シャッターの収納様式は、例えば、巻取式、スライド送込み式、折畳み式等、何れの収納様式であってもよい。
【０１００】
【発明の効果】
以上説明したように本発明によるシャッター用施錠装置は、シャッターカーテンの幅方向に沿ってスライド部材を設け、スライド部材の摺動によって、係止解除手段を従動させてラッチ部材の係止を解除させるようにした。このため、開口部の幅方向の任意の位置でスライド部材を持って施錠装置の解錠が行えるようになる。また、解錠後、スライド部材を持ったまま、シャッターカーテンを開放方向へ移動させることができる。これにより、解錠操作の後、手を持ち替えることなく、片手による一連の操作で、解錠及びシャッターカーテンの開放を行うことができるようになる。
【０１０１】
また、突出付勢されたラッチ部材に可撓線体を連結し、この可撓線体を上記スライド部材の摺動によって引いて、ラッチ部材をシャッターカーテンの幅方向の中央部に引き寄せるように構成しても、上記効果を適宜得ることができる。また、可撓線体の採用により、長尺のラッチ部材を使用せずに、施錠装置を軽量化することができる。
【０１０２】
また、可撓線体を上記スライド部材によるシャッターカーテンの開閉方向の摺動によって引くようにすれば、上記効果を適宜得ることに加え、特に解錠操作方向と、シャッターカーテンの開放操作方向とを同一方向にできるので、解錠、開放をスムーズに行うことができる。
【図面の簡単な説明】
【図１】  本発明の参考例によるシャッター用施錠装置の第一実施の形態を示す正面図（シャッターの屋内側）。
【図２】  図１におけるＡ−Ａ断面図。
【図３】  第一実施の形態における幅木の側面図。
【図４】  同幅木の端部の正面図。
【図５】  図２におけるＢ−Ｂ矢視図。
【図６】  同幅木の端部の正面側透視図。
【図７】  第一実施の形態における係止解除手段の側面図。
【図８】  図７におけるＣ−Ｃ矢視図。
【図９】  本発明によるシャッター用施錠装置の第二実施の形態を示す斜視図（シャッターの屋内側）。
【図１０】  第二実施の形態における要部の断面図。
【図１１】  同要部の斜視図。
【図１２】  本発明によるシャッター用施錠装置の第三実施の形態の要部を示す断面図。
【図１３】  同要部の斜視図。
【図１４】  （ａ）本発明の参考例によるシャッター用施錠装置の第四実施の形態を示す正面外観図（シャッターの屋内側）。
（ｂ）図１４（ａ）における内部機構（施錠装置）を臨む正面図。
【図１５】  （ａ）図１４（ａ）におけるＤ−Ｄ断面図。
（ｂ）図１５（ａ）における動作図。
【図１６】  （ａ）〜（ｃ）動作を示す要部拡大図。
【符号の説明】
１…開口部、３…レール、５…シャッターカーテン、７，６７，１１１，１３１…幅木（シャッターカーテンの構成部材）、３５，８３，１４３…ラッチ部材、３７…係止部、３９，９３，１２３，１４５…係止解除手段、４３…揺動レバー、５１，８９，１７７…バネ部材（付勢手段）、５５，６９，１１９，１５３…スライド部材、６５，１０１，１２５，１６１…シャッター用施錠装置、９１…ワイヤ（可撓線体）、９７…固定支持車（固定支持部）、９９…移動支持車（移動支持部）、１４９…規制杆、１７１…伝達機構。
【図１】
0004284716.tif 000002
【図２】
0004284716.tif 000003
【図３】
0004284716.tif 000004
【図４】
0004284716.tif 000005
【図５】
0004284716.tif 000006
【図６】
0004284716.tif 000007
【図７】
0004284716.tif 000008
【図８】
0004284716.tif 000009
【図９】
0004284716.tif 000010
【図１０】
0004284716.tif 000011
【図１１】
0004284716.tif 000012
【図１２】
0004284716.tif 000013
【図１３】
0004284716.tif 000014
【図１４】
0004284716.tif 000015
【図１５】
0004284716.tif 000016
【図１６】
0004284716.tif 000017